(57)【要約】【課題】遺骨を破損や紛失の被害から保護し、安全に搬送するための搬送用ケースを提供する。【解決手段】遺骨が納められた骨壷を収納するための骨壷収納部１４と、位置情報端末を収納するための端末収納部１６と、骨壷の上面を保護する軟質スポンジ１８と、骨壷の底面および側面を保護する硬質ウレタン２６と、端末収納部１６に収納される位置情報端末を備える遺骨搬送用ケース１０を提供する。遺骨搬送用の専用ケースであるため、遺骨の搬送における安全性と信頼性に特化した造りとすることができ、特に緩衝材の材質や配置を骨壺の保護に最も効果的になるように設定することができる。位置情報端末を収納する専用のスペースも設けてあり、万が一の盗難や紛失に際して万全の対策をとることができる。【選択図】図１
0003196019.tif 000002
【実用新案登録請求の範囲】
【請求項１】
遺骨が納められた骨壷を収納するための骨壷収納部と、
位置情報端末を収納するための端末収納部と、
前記骨壷収納部に収納される前記骨壷の上面、底面および側面に弾性的に接触する緩衝材と、
前記端末収納部に収納される位置情報端末を備える、
遺骨搬送用ケース。
【請求項２】
前記位置情報端末が、少なくともＧＰＳを利用する位置情報追跡システムを構成する端末もしくはＰＨＳを利用する位置情報追跡システムを構成する端末の何れかの端末である、
請求項１に記載の遺骨搬送用ケース。
【請求項３】
前記緩衝材が、骨壷の形態に応じて置換が可能である、
請求項１または２に記載の遺骨搬送用ケース。
【請求項４】
事業者から依頼者に貸与する遺骨搬送用ケースであって、
粉骨が納められた容器を収納するための粉骨収納部と、
位置情報端末を収納するための端末収納部と、
前記粉骨収納部に収納される前記容器の上方、下方および側方に配置される緩衝材と、
前記端末収納部に収納される位置情報端末を備える、
遺骨搬送用ケース。
【請求項５】
前記位置情報端末が、少なくともＧＰＳを利用する位置情報追跡システムを構成する端末もしくはＰＨＳを利用する位置情報追跡システムを構成する端末の何れかの端末である、
請求項４に記載の遺骨搬送用ケース。
【請求項６】
前記容器が、粉骨を収納する一以上の袋と前記袋を収納する収納箱とで構成される、
請求項４または５に記載の遺骨搬送用ケース。
【請求項７】
前記袋が、真空パック袋またはファスナー付き袋、水溶性袋のうち少なくとも何れかの袋である、
請求項４乃至６の何れかに記載の遺骨搬送用ケース。
【請求項８】
請求項１乃至３の何れかに記載の遺骨搬送用ケースと請求項４乃至７の何れかに記載の遺骨搬送用ケースにおいて前記位置情報端末を共用する、
遺骨搬送用ケース。
【考案の詳細な説明】
【技術分野】
【０００１】
本考案は、遺骨を安全に搬送するための梱包資材一式を揃えた遺骨搬送用ケースに関する。
【背景技術】
【０００２】
近年、墓地や納骨を巡る状況の変化や、さらには宗教観や家族の在り方に対する意識の変化から、散骨が注目を浴びてきている。散骨は、人骨と判別できない程度に遺骨を粉砕して粉末状に加工し、海や山など個人が指定した場所等に撒布する葬送法である。散骨を巡っては、墓地・埋葬等に関する法律や刑法の死体等遺棄罪など、いつくか考慮しなければならない問題はあるが、散骨そのものを規制する法律は存在せず、法務省は非公式ではあるが、節度をもって行われる限りは違法性はないとしている。
【０００３】
散骨に際しては、遺骨が原型を留めないように粉砕しなければならない。遺骨の粉砕は特別な許可等は必要なく誰でも行うことができるが、遺族が行う場合には心情的な抵抗があることから、実際には専門の事業者が遺骨の粉砕、すなわち粉骨を行っている場合がほとんどである。事業者に粉骨を依頼する場合、遺骨を事業者に一旦引き渡さなければならない。粉骨事業者が近隣にあれば骨壷を直接手渡しすることも可能であるが、遠隔地であれば手渡しは困難であるため、個別配送を行う搬送事業者に依頼せざるを得ない。
【考案の概要】
【考案が解決しようとする課題】
【０００４】
いうまでもなく遺骨は遺族にとって何物にも代え難い大切なものであり、その取り扱いにはどれだけ注意を払っても払いすぎることはない。また万が一紛失した場合は金銭的に補償できるものでもない。そのため、従来、遺骨の搬送は敬遠されてきたし、現時点では遺骨の搬送を取り扱う事業者は日本郵便株式会社のみである（平成２６年１０月現在）。その唯一の搬送事業者である日本郵便株式会社も完全なる安全性は保証していない。現在、粉骨の需要は増加の一途を辿っており、粉骨事業者も徐々に増えてきている。しかしながら、前述したような安全上の問題から、遺骨の搬送はほとんど行われておらず、依頼があれば粉骨事業者自らが遺骨を受け取りに行くといったマンパワーに頼る運営がなされている。このような運営が続けば、粉骨事業者にとって大きな負担になるだけではなく、増え続ける粉骨の依頼に十分に応えることができない。
【０００５】
本考案は、前述した事情に鑑み、遺骨を破損や紛失の被害から保護し、安全に搬送するための搬送用ケースを提供することを目的とする。
【課題を解決するための手段】
【０００６】
本考案の第１の態様は、遺骨が納められた骨壷を収納するための骨壷収納部と、位置情報端末を収納するための端末収納部と、前記骨壷収納部に収納される前記骨壷の上面、底面および側面に弾性的に接触する緩衝材と、前記端末収納部に収納される位置情報端末を備える、遺骨搬送用ケースである。
【０００７】
骨壷を安全に搬送するためには、適度な大きさのケースと骨壷を衝撃から保護する緩衝材を準備しなければならない。これらを準備するのは意外に面倒であり、例えばケースひとつをとってみても、骨壷の周囲に緩衝材を詰めるための適度な空間が必要であり、骨壷に対して大き過ぎても小さ過ぎてもいけない。また多くの場合、個人がすぐに用意できるケースはダンボール箱程度であるが、遺骨が納められた骨壷を搬送するものとしてはあまりにも心許ない。また、緩衝材として丸めた新聞紙などが代用品として用いられることが多いが、骨壷の周囲にバランス良く配置しなければ緩衝材としての役割を十分に果たすことはできない。従って、個人がすぐに用意することができるケースや緩衝材では搬送の安全性や信頼性に疑問が残る。また、遺骨の搬送中の盗難や紛失に対しては、通常の貨物以上に万全の注意を払う必要がある。
【０００８】
本考案の遺骨搬送用ケースは、骨壺を収納するためのスペースと、搬送中の振動や衝撃から骨壺を保護する緩衝材と、骨壺の位置情報を追跡するための端末を備える骨壺の搬送専用のケースである。専用ケースであるため、遺骨の搬送における安全性と信頼性に特化した造りとすることができ、特に緩衝材の材質や配置を骨壺の保護に最も効果的になるように設定することができる。また位置情報追跡用端末を収納する専用のスペースも設けてあり、万が一の盗難や紛失に際して万全の対策をとることができる。
【０００９】
遺骨搬送用ケースは、ケースレンタル事業者もしくは粉骨事業者が所有し、依頼者の要求に応じて貸し出す形態とすることが最も現実的であり、事業化の観点からも望ましい。
【００１０】
本考案の第２の態様は、第１の態様において、前記位置情報端末が、少なくともＧＰＳを利用する位置情報追跡システムを構成する端末もしくはＰＨＳを利用する位置情報追跡システムを構成する端末の何れかの端末であることを特徴とする。
【００１１】
遺骨搬送用ケースに位置情報追跡用端末を設置することにより、搬送中の遺骨の位置をリアルタイムに把握することができるが、位置情報追跡システムの方式によっては位置の把握が困難になる場合が予想される。そのため、第２の態様では、現在、広く流通している２つのシステム、すなわちＧＰＳを利用する位置情報追跡システムとＰＨＳを利用する位置情報追跡システムを併用し、セキュリティ管理の万全を期す。
【００１２】
本考案の第３の態様は、第１または第２の態様において、前記緩衝材が、骨壷の形態に応じて置換が可能であることを特徴とする。
【００１３】
一般的な骨壺のサイズは２寸、３寸、４寸、５寸、６寸、７寸、８寸であるため、予めこれらのサイズに対応した緩衝材と、最大の８寸サイズの骨壺を収納できる容量のケース本体を用意しておくことにより、緩衝材を置換するだけでほとんど全ての骨壺に対応することができる。
【００１４】
本考案の第４の態様は、粉骨が納められた容器を収納するための粉骨収納部と、位置情報端末を収納するための端末収納部と、前記粉骨収納部に収納される前記容器の上方、下方および側方に配置される緩衝材と、前記端末収納部に収納される位置情報端末を備える、遺骨搬送用ケースである。
【００１５】
この遺骨搬送用ケースは、依頼者から預かった遺骨を粉砕し、粉骨の状態にしてから依頼者に返送する際に用いられる粉骨の搬送専用のケースであり、粉骨を収納するためのスペースと、搬送中の振動や衝撃から粉骨を保護する緩衝材と、粉骨の位置情報を追跡するための端末を備える。
【００１６】
本考案の第５の態様は、第４の態様において、前記位置情報端末が、少なくともＧＰＳを利用する位置情報追跡システムを構成する端末もしくはＰＨＳを利用する位置情報追跡システムを構成する端末の何れかの端末であることを特徴とする。
【００１７】
遺骨搬送用ケースに位置情報追跡用端末を設置することにより、搬送中の遺骨の位置をリアルタイムに把握することができるが、位置情報追跡システムの方式によっては位置の把握が困難になる場合が予想される。そのため、第５の態様では、現在、広く流通している２つのシステム、すなわちＧＰＳを利用する位置情報追跡システムとＰＨＳを利用する位置情報追跡システムを併用し、セキュリティ管理の万全を期す。
【００１８】
本考案の第６の態様は、第４または第５の態様において、前記容器が、粉骨を収納する一以上の袋と前記袋を収納する収納箱とで構成されることを特徴とする。
【００１９】
粉骨の保存には湿気を避ける必要があるため、防水または防滴機能がある袋に収納し、さらに遺骨を納めるのに適した化粧箱等に収納することが望ましい。
【００２０】
本考案の第７の態様は、第４乃至第６の何れかの態様において、前記袋が、真空パック袋またはファスナー付き袋、水溶性袋のうち少なくとも何れかの袋であることを特徴とする。
【００２１】
第７の態様では、依頼者の希望に応じて３種類の袋の中から選択することができる。一つは真空パック袋であり、主に粉骨をそのままの状態で永久保存したい場合に用いられる。また、依頼者自身で粉骨を小分けにしたり、他の容器で保存したい場合に対応するため、開閉自在のファスナー付き袋も用意している。さらには、海洋等での散骨の便のために、袋から出さずにそのまま散骨することができる水溶性袋も用意している。なお、真空、ファスナー、水溶性の各性質を複合的に有する袋とすることもできる。
【００２２】
本考案の第８の態様は、第１乃至第３の何れかの態様の遺骨搬送用ケースと第４乃至第７の何れかの態様の遺骨搬送用ケースにおいて前記位置情報端末を共用することを特徴とする。
【００２３】
位置情報端末は高価であるため、骨壺搬送用のケースと粉骨搬送用のケースの何れのケースでも使用できるように共用とすることが望ましい。
【考案の効果】
【００２４】
本考案の遺骨搬送用ケースは、遺骨を収納するためのスペースと、搬送中の振動や衝撃から遺骨を保護する緩衝材と、遺骨の位置情報を追跡するための端末を備える遺骨の搬送専用のケースである。専用ケースであるため、遺骨の搬送における安全性と信頼性に特化した造りとすることができ、特に緩衝材の材質や配置を骨壺の保護に最も効果的になるように設定することができる。また位置情報追跡用端末を収納する専用のスペースも設けてあり、万が一の盗難や紛失に際して万全の対策をとることができる。
【図面の簡単な説明】
【００２５】
【図１】骨壺搬送用ケースの構成を示す概略図
【図２】骨壺搬送用ケースの内部構成を示す概略図
【図３】骨粉搬送用ケースの構成を示す概略図
【図４】粉骨搬送用ケースの内部構成を示す概略図
【図５】事業の仕組みを示す概略図
【考案を実施するための形態】
【００２６】
本考案の実施の形態について添付した図面を参照して説明する。
【００２７】
〔骨壷搬送用ケースについて〕
最初に、図１および図２に示す概略図に基づいて骨壷搬送用ケースの構造および機能について説明する。骨壺搬送用ケースは粉骨サービスを提供する事業者（以下、粉骨事業者という。）が所有し、粉骨サービスを提供する際に依頼者の要求に応じて貸し出す、粉骨サービス専用のケースである。
【００２８】
骨壷搬送用ケース１０は、ケース本体１２の内部に骨壺収納部１４と端末収納部１６を備えている。ケース本体１２はＡＢＳ樹脂製（一部にアルミ枠を使用）であり、上部が開閉式の蓋になっている。蓋の裏側には軟質スポンジ１８が取り付けられている。ケース本体１２の前面には左右２個のパッチン錠２０と、その間にダイヤル錠２２が取り付けられている。
【００２９】
ケース本体１２の内部は隔壁２４によって大小２つの空間に仕切られており、大きい方が骨壺収納部１４であり、小さい方が端末収納部１６である。骨壺収納部１４は側面および底面が硬質ウレタン２６で覆われている。硬質ウレタン２６は中央に骨壺を収納するための略円形の空間２８が設けられている。また一部に骨壺を出し入れする際に手や指を掛けるための空間３０も設けられている。硬質ウレタン２６は骨壺のサイズに応じたタイプのものが複数用意されており、収納する骨壺のサイズに応じて付け替えて使用する。
【００３０】
図２は一般に使用される骨壺では最も大型となる八寸サイズに対応する硬質ウレタンを示している。硬質ウレタン２６に囲まれた空間２８の内径は２４５ｍｍであり、８寸サイズの骨壺の外径２５０ｍｍより僅かに小さめに造られており、収納時に骨壺の側面を確実に挟持できるようになっている。一般的な骨壺のサイズは、２寸、３寸、４寸、５寸、６寸、７寸、８寸であるため、硬質ウレタン２６は予め７種類のタイプのものを用意しておく。底面を覆う硬質ウレタン（図示省略）は全ての骨壺に対して共通のものを使用することができる。
【００３１】
ケース本体１２の蓋に取り付けられる軟質スポンジ１８と骨壺収納部１４に取り付けられる硬質ウレタン２６は、骨壷収納部１４に収納される骨壷の上面、底面および側面に弾性的に接触する緩衝材としての役割を担い、骨壺および骨壺に納められた遺骨を搬送時の衝撃や振動から保護する。
【００３２】
端末収納部１６も骨壺収納部１４と同様に側面および底面が硬質ウレタン３２で覆われている。硬質ウレタン３２は内部に２つの収納スペース３４、３６を備えている。各収納スペース３４、３６には、それぞれ種類の異なる位置情報追跡用の端末を収納する。２種類の端末の使用し、それぞれのデメリットを補いながらメリットを最大限に活用し、搬送中の骨壺の位置を確実に補足できるようにしている。本実施の形態では、収納スペース３４には、ＧＰＳを利用する位置情報追跡システム（例えば、セコム株式会社が提供するサービス「ココセコム（登録商標）」）を構成する専用端末を収納する。もう一つの収納スペース３６には、ＰＨＳを利用する位置情報追跡システム（例えば、ユーピーアール株式会社が提供するサービス「なんつい（登録商標）」）を構成する専用端末を収納する。ＧＰＳを利用する位置情報追跡システムは、広範なエリア内で詳細な位置情報を取得することができるというメリットがあるが、高層ビルが立ち並ぶ市街地や倉庫内等では衛星からの電波を受信することができないというデメリットがある。これに対しＰＨＳを利用する位置情報追跡システムはこのような条件下でも位置情報の追跡が可能である。また消費電力が極めて小さいため長期間の追跡が可能であり、盗難や紛失時の捜索の際に威力を発揮する。
【００３３】
ＰＨＳを利用する位置情報追跡システムによる位置情報は、粉骨事業者だけではなく依頼者も共有することができる。依頼者には、システムを利用する際に必要なＩＤとＰＷを予め知らさせているため、インターネット回線を通じて骨壺の位置を随時把握することができる。このことは骨壺を他人に預ける際の大きな安心材料となり、
【００３４】
ケース本体１２の前面には「取り扱い注意」や「われもの注意」等の表示部３８、４０を設け、搬送従事者への注意を喚起する。ケース本体１２の両側面にはバネによる自動収納式のハンドル４２を設け、運びやすさと持ちやすさを実現することで搬送時の落下事故等の発生を未然に防止する。
【００３５】
〔粉骨搬送用ケースについて〕
次に、図３および図４に示す概略図に基づいて粉骨搬送用ケースの構造および機能について説明する。粉骨搬送用ケースは粉骨事業者が所有し、依頼者から預かった遺骨を粉砕したものを依頼者に返送する際に使用する粉骨サービス専用のケースである。
【００３６】
図３および図４は粉骨搬送用ケースの構造を示す概略図である。粉骨搬送用ケース５０の材質および構造は前述した骨壷搬送用ケース１０と同様である。粉骨搬送用ケース５０は、ケース本体５２の内部に粉骨収納部５４と端末収納部５６を備えている。ケース本体５２の蓋の裏側には軟質スポンジ５８が取り付けられている。ケース本体５２の前面には左右２個のパッチン錠６０と、その間にダイヤル錠６２が取り付けられている。ケース本体１２の内部は隔壁６４によって大小２つの空間に仕切られており、大きい方が粉骨収納部５４であり、小さい方が端末収納部５６である。粉骨収納部５４は側面および底面が硬質ウレタン６６で覆われている。硬質ウレタン６６で覆われた空間６８が粉骨収納袋の収納するためのスペースとなる。
【００３７】
端末収納部５６は側面および底面が硬質ウレタン７２で覆われている。硬質ウレタン７２は内部に２つの収納スペース７４、７６を備えている。各収納スペース７４、７６には、それぞれ種類の異なる位置情報追跡用の端末を収納する。これらの端末は骨壷搬送用ケース１０の搬送時に使用する２種類の端末をそのまま使用することができる。
【００３８】
ケース本体１２の前面には「取り扱い注意」や「われもの注意」等の表示部７８、８０を設け、搬送従事者への注意を喚起する。ケース本体１２の両側面にはバネによる自動収納式のハンドル８２を設け、運びやすさと持ちやすさを実現することで搬送時の落下事故等の発生を未然に防止する。
【００３９】
〔粉骨サービスについて〕
最後に、図５に示す概略図に基づいて粉骨サービスの概要について説明する。
〔依頼者からの申し込み〕
粉骨サービスを希望する依頼者は、電話、ＦＡＸ、電子メール等で事業者に対して連絡する。連絡を受けた事業者は依頼者の住所宛に粉骨サービスの申し込み用書類一式を郵送する。申し込み用書類の郵送にかかる費用は粉骨事業者が負担する。
【００４０】
〔骨壷搬送用ケースの無料貸し出し〕
事業者は、必要事項が記入された申し込み用書類の返送を受けたら、骨壺搬送用ケースを依頼者の住所宛に発送する。骨壺搬送用ケースは道路貨物運送業を営む事業者（以下、搬送事業者という。）に宅配便貨物として預ける。骨壺搬送用ケース（骨壺未収納）の宅配（粉骨事業者から依頼者宅までの搬送）にかかる費用は粉骨事業者が負担する。
【００４１】
〔骨壺の搬送〕
依頼者は、骨壺搬送用ケースに骨壺を収納し、受取人を粉骨事業者とした伝票をケースの上面に貼り付け、最寄りの郵便局に持ち込む（もしくは集荷を依頼する）。骨壺の搬送にはセキュリティサービスを付加した「ゆうパック（登録商標）」を利用する。セキュリティサービスには、荷物の引き受けから配達までの送達過程を記録するという郵便書留と同等のサービスが追加される。骨壺搬送用ケース（骨壺収納済）の搬送にかかる費用は依頼者が負担する。
【００４２】
〔粉骨の搬送〕
粉骨事業者は、骨壺に納められている遺骨を粉砕し、微細なパウダー状の遺骨に加工し、袋に納める。袋は依頼者の希望に応じて３種類の中から選択することができる。一つは真空パック袋であり、主に粉骨をそのままの状態で永久保存したい場合に用いられる。また、依頼者自身で粉骨を小分けにしたり、他の容器で保存したい場合に対応するため、開閉自在のファスナー付き袋も用意している。さらには、海洋等での散骨の便のために、袋から出さずにそのまま散骨することができる水溶性袋も用意している。これらの袋に納められた粉骨は桐箱等に納められてから粉骨搬送用ケースに収納される。粉骨搬送用ケース（粉骨収納済）は、セキュリティサービスを付加した「ゆうパック（登録商標）」を利用して依頼者宛に発送する。粉骨の紛失等のリスクを減らすため、依頼者の了解を得た上で可能な限り郵便局留めを指定する。粉骨搬送用ケース（粉骨収納済）の搬送にかかる費用は依頼者が負担する（着払い）。
【００４３】
〔粉骨搬送用ケースの返却〕
依頼者は、粉骨搬送用ケースから桐箱に納められた粉骨のみを受け取り、粉骨搬送用ケース（粉骨未収納）とそれに含まれる機材一式を粉骨事業者に返送する。粉骨搬送用ケースは搬送事業者に宅配便貨物として預ける。粉骨搬送用ケース（粉骨未収納）の宅配（依頼者宅から粉骨事業者の事業所までの搬送）にかかる費用は粉骨事業者が負担する（着払い）。
【００４４】
前述した粉骨サービスは、本考案の遺骨搬送用ケースを利用した事業モデルの一例であり、本考案の遺骨搬送用ケースの他の様々な事業において利用することができる。また遺骨の搬送を取り扱う事業者は、現時点では日本郵便株式会社のみであるが、今後の状況に応じて他の事業者が遺骨の搬送を取り扱うことも可能になる。
【符号の説明】
【００４５】
１０  骨壺搬送用ケース
１４  骨壺収納部
１６  端末収納部
１８  軟質スポンジ
２６  硬質ウレタン
３２  硬質ウレタン
５０  粉骨搬送用ケース
５４  粉骨収納部
５６  端末収納部
５８  軟質スポンジ
６６  硬質ウレタン
７２  硬質ウレタン
【図１】
0003196019.tif 000003
【図２】
0003196019.tif 000004
【図３】
0003196019.tif 000005
【図４】
0003196019.tif 000006
【図５】
0003196019.tif 000007
【手続補正書】
【提出日】平成26年12月3日(2014.12.3)
【手続補正１】
【補正対象書類名】実用新案登録請求の範囲
【補正対象項目名】請求項７
【補正方法】変更
【補正の内容】
【請求項７】
前記袋が、真空パック袋またはファスナー付き袋、水溶性袋のうち少なくとも何れかの袋である、
請求項６に記載の遺骨搬送用ケース。